【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
少なくとも１つのデバイスプロセッサと、
前記少なくとも１つのデバイスプロセッサによって実行されると、
ワードのシェイプライティングおよび個別の文字のラジアルエントリを実現するように構成されたキーボードを動作させることと、
第１の文字を対象にする前記キーボードへの入力を特定する入力データを取得することであって、前記入力が、前記第１の文字に関連付けられた補助文字を選択するように使用可能な特定方向に移動することと、
前記入力データを評価して、前記入力が、特定のワードをエントリするためのシェイプライティング入力であるか、または、前記補助文字をエントリするためのラジアルエントリ入力であるかについて曖昧性を除去することと、
前記入力が前記シェイプライティング入力であるとして曖昧性が除去される第１の例では、前記第１の文字を含む前記特定のワードをエントリすることと、
前記入力が前記ラジアルエントリ入力であるとして曖昧性が除去される第２の例では、前記第１の文字に関連付けらえた前記補助文字をエントリすることと、
を少なくとも１つのデバイスプロセッサに行わせる命令を格納した少なくとも１つのコンピュータ可読記憶媒体と、
を備える装置。
【請求項２】
前記命令が、前記少なくとも１つのデバイスプロセッサによって実行されると、
前記入力データを解析して、前記特定のワードを特定するシェイプライティング入力結果候補と、前記補助文字を特定するラジアルエントリ入力結果候補とを含む 処理値候補を提供することと、
前記入力データに応答して、前記特定のワードの第１の提案および前記補助文字の第２の提案を含む複数の提案を表示することと、
前記第１の例において、前記第１の提案の選択に応答して前記特定のワードをエントリすることと、
前記第２の例において、前記第２の提案の選択に応答して前記補助文字をエントリすることと、
を少なくとも１つのデバイスプロセッサに行わせる、請求項１に記載の装置。
【請求項３】
前記シェイプライティング入力が前記特定のワードの別の文字を通過し、前記別の文字は、前記第１の文字に対して、前記キーボード上の前記特定方向に位置付けられる、請求項１に記載の装置。
【請求項４】
前記命令が、前記少なくとも１つのデバイスプロセッサによって実行されると、
前記第１の例において、前記入力データの観測長さに少なくとも基づいて、前記入力データが前記シェイプライティング入力であるとして曖昧性を除去することを少なくとも１つのデバイスプロセッサに行わせる、請求項１に記載の装置。
【請求項５】
前記命令が、前記少なくとも１つのデバイスプロセッサによって実行されると、
前記第２の例において、前記入力データの前記観測長さに少なくとも基づいて、前記入力データが前記ラジアルエントリ入力であるとして曖昧性を除去することを少なくとも１つのデバイスプロセッサに行わせる、請求項４に記載の装置。
【請求項６】
前記命令が、前記少なくとも１つのデバイスプロセッサによって実行されると、
前記入力データの観測長さを閾値と比較することと、
前記入力データの前記観測長さが前記閾値を超えた場合に、前記入力データが前記シェイプライティング入力であると判定することと、
前記入力データの前記観測長さが前記閾値を下回る場合に、前記入力データが前記ラジアルエントリ入力であると判定することと、
を少なくとも１つのデバイスプロセッサに行わせる、請求項１に記載の装置。
【請求項７】
前記命令が、前記少なくとも１つのデバイスプロセッサによって実行されると、
前記入力データから、前記入力の観測圧力を決定することと、
前記入力の前記観測圧力に少なくとも基づいて、前記入力データの曖昧性を除去することと、
を少なくとも１つのデバイスプロセッサに行わせる、請求項１に記載の装置。
【請求項８】
前記命令が、前記少なくとも１つのデバイスプロセッサによって実行されると、
前記観測圧力が前記キーボードへの実質的に柔らかいタッチを示す場合、前記入力データを前記シェイプライティング入力として指定することと、
前記観測圧力が前記キーボードへの実質的に強いタッチを示す場合、前記入力データを前記ラジアルエントリ入力として指定することと、
を少なくとも１つのデバイスプロセッサに行わせる、請求項７に記載の装置。
【請求項９】
前記命令が、前記少なくとも１つのデバイスプロセッサによって実行されると、
前記入力データから、前記入力の観測速度を決定することと、
前記入力の前記観測速度に少なくとも基づいて、前記入力データの曖昧性を除去することと、
を少なくとも１つのデバイスプロセッサに行わせる、請求項１に記載の装置。
【請求項１０】
前記命令が、前記少なくとも１つのデバイスプロセッサによって実行されると、
前記観測速度が閾値を下回る場合に、前記入力データを前記ラジアルエントリ入力として指定することと、
前記観測速度が前記閾値を超える場合に、前記入力データを前記シェイプライティング入力として指定することと、
を少なくとも１つのデバイスプロセッサに行わせる、請求項９に記載の装置。
【請求項１１】
前記命令が、前記少なくとも１つのデバイスプロセッサによって実行されると、
前記入力データから、前記入力の観測加速度を決定することと、
前記入力の前記観測加速度に少なくとも基づいて、前記入力データの曖昧性を除去することと、
を少なくとも１つのデバイスプロセッサに行わせる、請求項１に記載の装置。
【請求項１２】
コンピュータ機器によって実行される方法であって、
シェイプライティングおよびラジアルエントリを受け付けるキーボードから、前記キーボードに対して実行される現行のストロークが特定方向に移動したことを示す入力データを取得することと、
前記特定方向に移動するストロークを介して、共にキーボードにエントリされ得るシェイプライティング入力およびラジアルエントリ入力を特定することと、
前記現行のストロークの特徴に少なくとも基づいて、前記現行のストロークの曖昧性を除去して、前記現行のストロークが前記シェイプライティング入力または前記ラジアルエントリ入力であると判定することと、
前記現行のストロークが前記シェイプライティング入力であるとして曖昧性が除去される第１の例では、前記シェイプライティング入力によって特製されるワードを前記コンピュータ機器にエントリすることと、
前記現行のストロークが前記ラジアルエントリ入力であるとして曖昧性が除去される第２の例では、文字を前記コンピュータ機器にエントリすることと、
を含む、方法。
【請求項１３】
前記特徴が、前記現行のストロークの長さである、請求項１２に記載の方法。
【請求項１４】
前記特徴が、前記現行のストロークの速度である、請求項１２に記載の方法。
【請求項１５】
前記特徴が、前記現行のストローク中に印加される圧力である、請求項１２に記載の方法。
【請求項１６】
前記特徴が、前記現行のストロークが屈曲点を含むかどうかに関する、請求項１２に記載の方法。
【請求項１７】
前記第１の例において、前記屈曲点を含む前記現行のストロークに少なくとも基づいて、前記現行のストロークを前記シェイプライティング入力であるとして曖昧性を除去することをさらに含む、請求項１６に記載の方法。
【請求項１８】
前記第２の例において、前記屈曲点を含まない前記現行のストロークに少なくとも基づいて、前記現行のストロークを前記ラジアルエントリであるとして曖昧性を除去することをさらに含む、請求項１７に記載の方法。
【請求項１９】
プロセッサと、
前記プロセッサに、
タッチされた時に特定の文字をエントリするためのキーを有するキーボードを提供することと、
前記キーボードへの現行の入力が前記キーに接触し、前記キーから離れる特定方向に移動することを示す入力データを前記キーボードから得ることと、
前記現行のストロークの特徴に少なくとも基づいて、前記入力データをシェイプライティング入力として処理するかどうかを判定することと、
前記現行の入力をシェイプライティング入力として処理しないように判定される第１の例において、前記現行の入力に応答して前記キーに関連付けられた補助文字をエントリすることと、
前記現行の入力を前記シェイプライティング入力として処理するように判定される第２の例において、前記現行の入力に応答して、前記キーに関連付けられた第１の文字を含むワードをエントリすることと、
を行わせる実行可能コードを格納したコンピュータ可読媒体と、
を備えるシステム。
【請求項２０】
前記補助文字が、前記特定の文字の大文字バージョンである、請求項１９に記載のシステム。